(57)【要約】【課題】装着された定着器と給紙段の用紙との不適合を印刷指示の前に知らせる。【解決手段】新たに給紙段に対する用紙情報の登録がなされると、ＣＰＵ２０１は、定着器識別部３０２から、装着中定着器の定着器識別ＩＤを取得することで、定着器種別を取得し、装着中定着器と、今回、新たに給紙段に登録された用紙とが適合するか否かを判別する。そして、ＣＰＵ２０１は、印刷可能な用紙種類と今回の登録用紙とが不適合である場合であって、交換要求ＳＷがＯＮになっているときは、報知処理として、定着器交換要求を実行し、報知画面を表示させる。【選択図】図６
2017054073.tif 000002
【特許請求の範囲】
【請求項１】
定着器を交換可能な画像形成装置であって、
定着器が交換されたことを検知する検知手段と、
装着された定着器の種別を識別する識別手段と、
給紙段に対して用紙を登録する登録手段と、
前記識別手段により識別された種別及び前記登録手段による登録内容に基づいて、前記装着された定着器と前記給紙段に対して登録された用紙とが適合するか不適合であるかを判定する判定手段と、
前記登録手段により用紙が登録された時または前記検知手段により定着器の交換が検知された時に、前記判定手段により不適合と判定された場合は、その旨を報知する報知処理を実施する報知手段と、を有することを特徴とする画像形成装置。
【請求項２】
前記報知手段は、前記登録手段により用紙が登録された時に前記判定手段により不適合と判定された場合は、前記報知処理として、定着器の交換要求を行うことを特徴とする請求項１に記載の画像形成装置。
【請求項３】
前記判定手段は、前記登録手段により用紙が登録された時に、当該登録された用紙と前記装着された定着器とが適合しない場合に、不適合と判定することを特徴とする請求項２に記載の画像形成装置。
【請求項４】
前記給紙段は複数存在し、前記登録手段は給紙段ごとに用紙を登録し、
前記判定手段は、前記登録手段によりいずれかの給紙段に対して用紙が登録された時に、複数の前記給紙段に対して登録されている用紙のいずれもが前記装着された定着器と適合しない場合に、不適合と判定することを特徴とする請求項２に記載の画像形成装置。
【請求項５】
前記報知手段は、前記検知手段により定着器の交換が検知された時に前記判定手段により不適合と判定された場合は、前記報知処理として、前記給紙段に対する用紙の登録変更を要求することを特徴とする請求項１に記載の画像形成装置。
【請求項６】
前記給紙段は複数存在し、前記登録手段は給紙段ごとに用紙を登録し、
前記判定手段は、前記検知手段により定着器の交換が検知された時に、複数の前記給紙段に対して登録されている用紙のいずれもが前記装着された定着器と適合しない場合に、不適合と判定することを特徴とする請求項５に記載の画像形成装置。
【請求項７】
前記給紙段は複数存在し、前記登録手段は給紙段ごとに用紙を登録し、
前記判定手段は、前記検知手段により定着器の交換が検知された時に、複数の前記給紙段に対して登録されている用紙のうち少なくとも１つが前記装着された定着器と適合しない場合に、不適合と判定することを特徴とする請求項５に記載の画像形成装置。
【請求項８】
前記報知手段は、前記判定手段により不適合と判定されなかった場合は、前記報知処理を実施しないことを特徴とする請求項１〜７のいずれか１項に記載の画像形成装置。
【請求項９】
前記装着された定着器と前記登録された用紙との適合を前記判定手段が判定する対象とする給紙段は、前記装着された定着器に対して給紙する給紙段に限られることを特徴とする請求項１〜８のいずれか１項に記載の画像形成装置。
【請求項１０】
前記識別手段により識別される種別には、封筒用の定着器と非封筒用の定着器とがあり、前記登録手段により登録される用紙には、封筒用紙と非封筒用紙とがあることを特徴とする請求項１〜９のいずれか１項に記載の画像形成装置。
【請求項１１】
定着器を交換可能な画像形成装置の制御方法であって、
定着器が交換されたことを検知する検知ステップと、
装着された定着器の種別を識別する識別ステップと、
給紙段に対して用紙を登録する登録ステップと、
前記識別ステップにより識別された種別及び前記登録ステップによる登録内容に基づいて、前記装着された定着器と前記給紙段に対して登録された用紙とが適合するか不適合であるかを判定する判定ステップと、
前記登録ステップにより用紙が登録された時または前記検知ステップにより定着器の交換が検知された時に、前記判定ステップにより不適合と判定された場合は、その旨を報知する報知処理を実施する報知ステップと、を有することを特徴とする画像形成装置の制御方法。
【請求項１２】
請求項１１に記載の画像形成装置の制御方法をコンピュータに実行させることを特徴とするプログラム。
【発明の詳細な説明】
【技術分野】
【０００１】
本発明は、定着器を交換可能な画像形成装置及びその制御方法、プログラムに関する。
【背景技術】
【０００２】
従来、定着器を交換可能で、選択的に装着した定着器を画像形成に用いるプリンタ及び複合機等の画像形成装置が知られている。特にプロダクションプリントの分野では、封筒のような特殊な用紙に大量の印刷を行う場合がある。封筒に印刷を行う場合、定着器に封筒を通紙した際に生じるしわや、定着ローラに付いた封筒の跡による印刷品質の低下を防止するために、封筒用定着器に交換して印刷を行うようにしている。封筒用定着器では、普通紙による印刷に用いられる通常用定着器に比べ、加圧ローラや定着ベルトの材質、定着の圧力が、封筒用に最適となるように低めに設定されている。一方、封筒以外の用紙に印刷する場合、定着不良や印刷品位低下を防止し、高品位な印刷をするためには、通常用定着器に交換して印刷するのが望ましい。
【０００３】
用途を限定した複数の定着器を管理・運用する環境において、例えば、装着された定着器に名称をオペレータが設定でき、定着器の名称が操作部に表示される画像形成装置が考えられる。オペレータは、装着されている定着器の名称を確認し、印刷を行う前に定着器の交換必要性を判断でき、それにより、複数の定着器を運用することが想定される。
【０００４】
また、このような環境において、例えば、コピー実行時に、封筒設定がされた給紙段が選択された場合に、装着されている定着器が封筒用定着器であれば、封筒を使ったコピーを許可するようにした画像形成装置がある（特許文献１）。この装置では、装着されている定着器の種別に応じてコピー実行の可否が制御される。封筒への印刷を行うためには第１及び第２定着器の両方を封筒用定着器に交換する必要がある。装着されている定着器の種類が識別され、少なくともいずれか一方の定着器が封筒用でない場合には、定着器を封筒用定着器に交換することを促すガイダンスが操作部に表示される。
【先行技術文献】
【特許文献】
【０００５】
【特許文献１】特開２０１３−１２０２２２号公報
【発明の概要】
【発明が解決しようとする課題】
【０００６】
しかしながら、装着された定着器の名称を表示するだけでは、オペレータが定着器名称を確認し忘れると、印刷したい用紙に適合しない定着器が装着されていたとしても印刷が実行される可能性がある。例えば、通常用定着器が装着中である場合、操作部にはその定着器の名称が表示されるが、オペレータは封筒に対する印刷を実行できてしまう。印刷指示を実行した後に定着器の交換が必要と判明した場合、オペレータは印刷を中断し、定着交換作業を行ってから再度、印刷指示を実施しなければならず、手間がかかる。
【０００７】
また、特許文献１の画像形成装置では、コピー実行時の給紙段選択時等に、装着されている定着器が用紙に適合する定着器であるか否かが判定される。この場合、定着器交換の必要性が判明するのが印刷する直前段階であるため、既に計画されている印刷スケジュールの変更を行う必要が生じ、煩わしい。従って、印刷指示の十分前の段階で、給紙段の登録用紙と装着された定着器との整合・適合が確認できればユーザにとって好ましい。
【０００８】
本発明の目的は、装着された定着器と給紙段の用紙との不適合を印刷指示の前に知らせることである。
【課題を解決するための手段】
【０００９】
上記目的を達成するために本発明は、定着器を交換可能な画像形成装置であって、定着器が交換されたことを検知する検知手段と、装着された定着器の種別を識別する識別手段と、給紙段に対して用紙を登録する登録手段と、前記識別手段により識別された種別及び前記登録手段による登録内容に基づいて、前記装着された定着器と前記給紙段に対して登録された用紙とが適合するか不適合であるかを判定する判定手段と、前記登録手段により用紙が登録された時または前記検知手段により定着器の交換が検知された時に、前記判定手段により不適合と判定された場合は、その旨を報知する報知処理を実施する報知手段と、を有することを特徴とする。
【発明の効果】
【００１０】
本発明によれば、装着された定着器と給紙段の用紙との不適合を印刷指示の前に知らせることができる。
【図面の簡単な説明】
【００１１】
【図１】画像形成装置の構成例を示すブロック図である。
【図２】コントローラ部のハードウェア構成例を示すブロック図である。
【図３】印刷装置の機能モジュール構成例を示すブロック図である。
【図４】印刷可否用紙一覧の一例を示す図である。
【図５】定着器交換要求の報知画面の例を示す図である。
【図６】用紙登録処理のフローチャートである。
【図７】用紙登録処理のフローチャートである。
【図８】用紙登録要求の報知画面の例を示す図である。
【図９】定着器交換処理（図（ａ））、用紙登録要求処理（図（ｂ））のフローチャートである。
【図１０】定着器交換処理（図（ａ））、用紙登録要求処理（図（ｂ））のフローチャートである。
【図１１】印刷装置と後処理装置とからなる印刷システムの構成図である。
【図１２】変形例の用紙登録処理のフローチャートである。
【発明を実施するための形態】
【００１２】
以下、本発明の実施の形態を図面を参照して説明する。
【００１３】
（第１の実施の形態）
図１は、本発明の第１の実施形態に係る画像形成装置の構成例を示すブロック図である。この画像形成装置は例えば、印刷装置１００として構成され、記録媒体に画像を形成し、その画像を定着させる機能を有する。印刷装置１００は、原稿を読み取るための画像読み取り部と、電子写真プロセスによって作像を行うプリンタ部とを有している。印刷装置１００は、プリンタ、複写機あるいは複合機等であってもよい。
【００１４】
印刷装置１００は、露光部１０１、作像部１０２、第１の給紙段１０３、第２の給紙段１０４、給紙部１０５、紙搬送部１０６、転写部１０７、定着部１０８、排紙部１０９及びコントローラ部２００を有している。コントローラ部２００は、印刷装置１００の全体を制御する制御装置であり、その内部のブロックについては図２で後述する。
【００１５】
露光部１０１は、イエロー（Ｙ）、マゼンダ（Ｍ）、シアン（Ｃ）、ブラック（Ｋ）の４色に対応するレーザスキャナユニットを備え、画像データに応じて作像部１０２に備えられた感光ドラム（不図示）を露光して、感光ドラム上に潜像を形成する。作像部１０２は、各色の感光ドラム及び現像器を含むドラムユニットと、中間転写ベルトとを有し（いずれも図示せず）、各感光ドラム上に形成された潜像を現像器で現像することで各色のトナー画像を形成する。そして、中間転写ベルトに各色の感光ドラムからトナー画像が転写され、中間転写ベルト上にカラートナー画像が形成する。
【００１６】
第１の給紙段１０３、第２の給紙段１０４はそれぞれ、印刷用紙を格納するための用紙トレイである。給紙部１０５は、第１の給紙段１０３、第２の給紙段１０４から印刷用紙を作像部１０２へ搬送する。紙搬送部１０６は、両面印刷時に片面印刷済みの印刷用紙を作像部１０２へ搬送する。印刷用紙が転写部１０７へ搬送されると、コントローラ部２００は、作像部１０２の中間転写ベルト上のカラートナー画像を印刷用紙に転写するように制御する。印刷用紙は定着部１０８へ搬送され、定着部１０８の定着ローラ（不図示）によって加熱、圧着処理されてカラートナー画像が印刷用紙に定着される。その後、印刷用紙は排紙部１０９によって印刷装置１００の機外へ排紙される。
【００１７】
定着部１０８は定着器を交換可能であり、定着部１０８に、複数の定着器のうち所望のものを選択して装着し、用いることができる。装着可能に準備される定着器の数は問わない。定着部１０８は、定着器着脱検知センサ１１１と定着器識別デバイス１１２とを有する。定着器着脱検知センサ１１１は、定着器が交換されたか（新たな定着器が装着されたか）否かを検知し、着脱信号を出力する。定着器識別デバイス１１２は、装着されている定着器（以下、「装着中定着器」と称することもある）から読み出した定着器識別ＩＤに応じて、装着中定着器の種別を識別するデバイスである。
【００１８】
図２は、コントローラ部２００のハードウェア構成例を示すブロック図である。コントローラ部２００は、ＣＰＵ２０１を有する。ＣＰＵ２０１に対して、システムバス２０５を介して、ＲＡＭ２０２、ＲＯＭ２０３、記憶部２０４、入力部Ｉ／Ｆ２０６、印刷部Ｉ／Ｆ２０７、操作部２０８が接続される。記憶部２０４はＨＤＤ等で構成される。ＲＯＭ２０３には、制御プログラムが格納される。制御プログラムは、記憶部２０４に格納されていてもよい。ＲＡＭ２０２は、制御プログラムを実行するためのワークメモリエリアであり、処理データなどを一時的に記憶する。ＣＰＵ２０１は、ＲＡＭ２０２に読み出された制御プログラムに基づいて、印刷部Ｉ／Ｆ２０７に画像データを出力する。
【００１９】
入力部Ｉ／Ｆ２０６は、ホストコンピュータ（不図示）と通信する。ＣＰＵ２０１は、入力部Ｉ／Ｆ２０６を通じて、印刷装置１００に関する各種情報をホストコンピュータへ通知することが可能である。操作部２０８は、表示画面や入力部を有する。操作部２０８は、ＣＰＵ２０１によって制御されて、入力部によりオペレータからの入力を受け付けると共に、表示画面の各種情報を表示させる。表示画面に表示される情報には、オペレータに対する定着器の交換要求や用紙登録要求のための報知画面（図５（ａ）、（ｂ）等）が含まれる。プリンタコントローラ２０９は、印刷部Ｉ／Ｆ２０７から送られた画像データに従い、印刷用紙上に画像形成する。フィニッシャコントローラ２１０は、印刷部Ｉ／Ｆ２０７から送られてきた後処理指示に従い、印刷用紙に対して後処理を実施する。
【００２０】
図３は、印刷装置１００の機能モジュール構成例を示すブロック図である。図３に示す各機能モジュールは、ＲＯＭ２０３に記憶された制御プログラムをＲＡＭ２０２のワークメモリ上でＣＰＵ２０１が実行することで実現されるプログラムモジュールである。
【００２１】
定着器交換検知部３０１（検知手段）は、定着器着脱検知センサ１１１による検知結果である着脱信号に応じて定着器が交換されたか否かを検知する。定着器識別部３０２（識別手段）は、定着器識別デバイス１１２が定着器から読み出した定着器識別ＩＤに応じて、装着中定着器の種別（定着器種別）を識別する。なお、各定着器に設定されているＩＤは、定着器の種別ごとに固有のＩＤが振られるものとし、定着器識別ＩＤによって各定着器が一意に特定される。
【００２２】
表示画面管理部３０３は、定着器識別部３０２によって識別された定着器種別と、登録用紙管理部３０６によってそれぞれ管理されている第１の給紙段１０３及び第２の給紙段１０４に登録されている用紙情報に従い、表示すべき画面を管理する。表示部３０４は、ＣＰＵ２０１によって制御され、表示画面管理部３０３に管理されている画面を操作部２０８に表示させる。用紙登録部３０５（登録手段）は、操作部２０８から入力された用紙登録要求に従い、給紙段に対する用紙登録処理を行う。なお、給紙段の数は３以上でもよく、給紙段が複数ある場合は、用紙登録は給紙段ごとになされる。登録用紙管理部３０６は、印刷装置１００の各給紙段に対して登録されている用紙情報（用紙サイズ、用紙種類）を管理する。
【００２３】
定着器種別の印刷可否用紙一覧３０７（以下、印刷可否用紙一覧３０７と略記する）は、固有のＩＤで識別された定着器種別ごとに、印刷可能な用紙種類を定義したデータの一覧である。表示画面管理部３０３は、定着器識別部３０２によって識別された種別と印刷可否用紙一覧３０７とを比較して、装着中定着器で印刷可能な用紙種類を取得し、ＣＰＵ２０１に通知する。
【００２４】
図４は、印刷可否用紙一覧３０７の一例を示す図である。印刷可否用紙一覧３０７には、定着器識別ＩＤと印刷可能な用紙種類の情報とが対応付けられている。図４の示す例では、装着可能な定着器には通常用定着器と封筒用定着器の２つがあり、通常用定着器の定着器識別ＩＤを１、封筒用定着器の定着器識別ＩＤを２としている。封筒用定着器に対応する印刷可能用紙種類は封筒である。通常用定着器に対応する印刷可能用紙種類は、封筒以外の用紙（非封筒用紙）であり、具体的には、普通紙、厚紙、コート紙等が該当する。
【００２５】
図５（ａ）、（ｂ）は、定着器交換要求の報知画面の例を示す図である。これらの画面は、後述する図６のステップＳ６０５で表示される。図５（ａ）に示す報知画面５００は、装着中定着器を封筒用定着器に交換するように促すための画面である。図５（ｂ）に示す報知画面５１０は、装着中定着器を通常用定着器に交換するように促すための画面である。報知画面５００、５１０には、交換ボタン５０１、後で交換ボタン５０２、チェックボックス５０３が含まれる。交換ボタン５０１は、今すぐ定着器交換を行うべく、定着器交換の作業画面へ遷移させるためボタンである。後で交換ボタン５０２は、今すぐには定着器交換を行わないとき、定着器交換の作業を省略するためのボタンである。チェックボックス５０３は、報知画面５００、５１０の表示可否を指定するための表示項目であり、チェック（オン）されることで、定着器交換要求の報知画面を今後表示しないように設定される。チェックボックス５０３の初期値は、オフ（報知画面を表示する）に設定されているものとする。
【００２６】
図６は、用紙登録処理のフローチャートである。この処理は、例えば、操作部２０８から用紙登録処理の開始指示が入力されると開始される。ＣＰＵ２０１は、用紙登録処理を開始し、用紙登録部３０５を通じて登録された用紙情報を登録用紙管理部３０６へ渡す。ＣＰＵ２０１は、給紙段と紐づけて上記用紙情報をＲＡＭ２０２に記憶するように登録用紙管理部３０６を制御する。なお、各給紙段に対する用紙情報の登録は印刷装置１００の電源がオフにされても記憶部２０４等に保持される。
【００２７】
ここで、具体例を対比して説明するために、「第１の状況」と「第２の状況」とを考える。第１の状況は、定着部１０８に通常用定着器（定着器識別ＩＤ＝１）が装着されており、第１の給紙段１０３、第２の給紙段１０４のいずれにも、Ａ４サイズの普通紙（封筒以外）が登録及びセットされている状態で図６の処理が開始されたと状況とする。なおかつ第１の状況では、角形２号の封筒を使用したジョブを印刷するために、後述するステップＳ６０１で、第１の給紙段１０３に対し、用紙情報として角形２号の封筒が登録されるとする。第２の状況は、定着部１０８に封筒用定着器（定着器識別ＩＤ＝２）が装着されており、第１の給紙段１０３に角形２号の封筒、第２の給紙段１０４に長形３号の封筒が登録及びセットされている状態で図６の処理が開始された状況とする。なおかつ第２の状況では、Ａ４普通紙を使用したジョブを印刷するために、ステップＳ６０１で、第１の給紙段１０３にＡ４普通紙（封筒以外）が登録されるとする。
【００２８】
まず、ＣＰＵ２０１は、操作部２０８から入力された用紙登録要求に従って、新たに、第１の給紙段１０３、第２の給紙段１０４のいずれかに対する用紙情報の登録が用紙登録部３０５によってなされるのを待つ（ステップＳ６０１）。新たに給紙段１０３、１０４のいずれかに対する用紙情報の登録がなされると、登録用紙管理部３０６で管理される用紙情報が変更されたので、ＣＰＵ２０１は、処理をステップＳ６０２に進める。
【００２９】
ステップＳ６０２では、ＣＰＵ２０１は、定着器識別部３０２から、装着中定着器（現在装着されている定着器）の定着器識別ＩＤを取得することで、定着器種別（封筒用定着器または通常用定着器）を取得する。そしてＣＰＵ２０１は、装着中定着器と、今回、ステップＳ６０１で新たに給紙段に登録された用紙（用紙情報が示す用紙）とが適合（整合）するか否かを判別する（ステップＳ６０３）。すなわち、ＣＰＵ２０１は、印刷可否用紙一覧３０７を参照し、取得した定着器種別に対応する印刷可能な用紙種類を取得し、取得した印刷可能な用紙種類と今回の登録用紙とが適合するか否かを判別する。ＣＰＵ２０１は、本発明における判定手段に該当する。その判別の結果、ＣＰＵ２０１は、印刷可能な用紙種類と今回の登録用紙とが適合する場合は、図６の処理を終了させる一方、印刷可能な用紙種類と今回の登録用紙とが不適合である場合は、処理をステップＳ６０４に進める。
【００３０】
具体例でいえば、第１の状況では、装着中定着器は通常用定着器であるので、印刷可能な用紙種類は「封筒以外」である。しかし今回、第１の給紙段１０３に角形２号の封筒が登録されたので、登録用紙は「封筒」である。従ってこの場合は、用紙が一致せず、ＣＰＵ２０１は不適合と判別し、処理をステップＳ６０４に進める。一方、第２の状況では、装着中定着器は封筒用定着器であるので、印刷可能な用紙種類は「封筒」である。しかし今回、第１の給紙段１０３にＡ４普通紙が登録されたので、登録用紙は「封筒以外」である。従ってこの場合も、用紙が一致せず、ＣＰＵ２０１は不適合と判別し、処理をステップＳ６０４に進める。
【００３１】
ステップＳ６０４では、交換要求ＳＷがＯＮ（オン）になっているか否かを判別する。ここで、交換要求ＳＷは、図示はしないが、操作部２０８で設定可能であり、その設定状態は表示画面管理部３０３で管理される。交換要求ＳＷは、報知画面（図５（ａ）、（ｂ））を表示するかどうかを指定するためのオン／オフの値であり、交換要求ＳＷの初期値はオンに設定されているものとする。
【００３２】
ステップＳ６０４の判別の結果、ＣＰＵ２０１は、交換要求ＳＷがＯＮになっていない場合は、図６の処理を終了させる。一方、ＣＰＵ２０１は、交換要求ＳＷがＯＮになっている場合は、報知処理として、定着器交換要求を実行し、図５（ａ）または図５（ｂ）に示す報知画面を表示させるよう制御する（ステップＳ６０５）。具体例でいえば、第１の状況においては、第１の給紙段１０３に対する登録用紙は「封筒」であるのにもかかわらず、装着中定着器は通常用定着器であるので、封筒用定着器に交換する必要がある。そこでＣＰＵ２０１は、表示画面管理部３０３を制御し、表示部３０４によって操作部２０８に報知画面５００（図５（ａ））を表示させる。これにより、封筒用定着器に交換すべき旨をオペレータに知らせることができる。ＣＰＵ２０１は、本発明における報知手段に該当する。一方、第２の状況においては、第１の給紙段１０３に対する登録用紙は「封筒以外」であるのにもかかわらず、装着中定着器は封筒用定着器であるので、通常用定着器に交換する必要がある。そこでＣＰＵ２０１は、表示画面管理部３０３を制御し、表示部３０４によって操作部２０８に報知画面５１０（図５（ｂ））を表示させる。これにより、通常用定着器に交換すべき旨をオペレータに知らせることができる。
【００３３】
次に、ＣＰＵ２０１は、報知画面（第１の状況では報知画面５００、第２の状況では報知画面５１０）において交換が選択されたか否かを、交換ボタン５０１が押下されたか否かによって判別する（ステップＳ６０６）。その判別の結果、交換が選択された場合は、ＣＰＵ２０１は、表示画面管理部３０３を制御し、表示部３０４によって定着器交換のための作業画面（図示せず）を操作部２０８へ表示させる（ステップＳ６０７）。その際、報知画面は消去される。この作業画面は、例えば、交換の手順をオペレータに知らせるための画面である。これにより、印刷指示するよりも前段階で適切な定着器への交換作業を案内できる。オペレータはこれを見て定着器を交換できる。一方、後で交換ボタン５０２が押下されたことで、報知画面において交換が選択されなかった場合は、ＣＰＵ２０１は、処理をステップＳ６０９に進める。なお、ステップＳ６０６からステップＳ６０９に遷移するとき、報知画面を消去するようにしてもよい。
【００３４】
次に、ステップＳ６０８では、ステップＳ６０３と同様に、適合の判別を再度実施する。まず、ＣＰＵ２０１は、改めて、定着器識別部３０２から、装着中定着器（現在装着されている定着器）の定着器識別ＩＤを取得することで、定着器種別を取得する。そしてＣＰＵ２０１は、取得した印刷可能な用紙種類と今回の登録用紙とが適合するか否かを改めて判別する。その判別の結果、ＣＰＵ２０１は、印刷可能な用紙種類と今回の登録用紙とが不適合である場合は、処理をステップＳ６０７に戻す一方、印刷可能な用紙種類と今回の登録用紙とが適合する場合は、処理をステップＳ６０９に進める。従って、オペレータが定着器を適切なものへと交換した場合は、ステップＳ６０８では、適合と判別される。例えば、第１の状況において、報知画面５００（図５（ａ））が表示された後、封筒用定着器に交換された場合や、第２の状況において、報知画面５１０（図５（ｂ））が表示された後、通常用定着器に交換された場合は、適合と判別される。しかし、オペレータが定着器の交換を行わないか、行ったとしても不適切な定着器へと交換したような場合は、ステップＳ６０８では再度、不適合と判別される。
【００３５】
ステップＳ６０９では、ＣＰＵ２０１は、チェックボックス５０３がチェックされているか否かを確認することで、定着器交換要求の報知画面を今後表示しない設定になっているか否かを判別する。その判別の結果、定着器交換要求の報知画面を今後表示しない設定になっている場合は、表示画面管理部３０３の交換要求ＳＷをＯＦＦ（オフ）に変更する（ステップＳ６１０）。その後、図６の処理は終了する。一方、定着器交換要求の報知画面を今後表示しない設定になっていない場合は、ＣＰＵ２０１は、図６の処理を終了させる。
【００３６】
本実施の形態によれば、新たに給紙段に対する用紙情報の登録がなされた時、装着中定着器の定着器識別ＩＤから取得された定着器種別と、今回、新たに給紙段に登録された用紙とが適合しない場合は、定着器の交換要求が行われる。これにより、装着された定着器と給紙段の用紙との不適合を印刷指示の前に知らせることができる。また、どの定着器へ交換すべきかを知らせるので、適切な交換作業を行いやすい。
【００３７】
（第２の実施の形態）
上記第１の実施形態では、取得した定着器種別に対応する印刷可能な用紙種類と比較される対象は、今回、登録がなされた給紙段の登録用紙のみであった。しかし、給紙段が複数存在する構成においては、使用環境により、装着中定着器で印刷可能な用紙が、今回、登録がなされた給紙段に限られず、他の給紙段に登録されていても、支障なく印刷実行できる場合がある。従って、装着中定着器で印刷可能な用紙が登録されている給紙段が全く存在しない場合にのみ、定着器交換要求が報知されるようにすべきという考え方もある。そこで、本発明の第２の実施の形態では、複数の給紙段に対して登録されている用紙のいずれもが装着中定着器と適合しない場合に、不適合と判定されるようにする。従って、第１の実施の形態に対し、図６に代えて図７を用いて第２の実施の形態を説明する。
【００３８】
図７は、用紙登録処理のフローチャートである。この処理の開始タイミング及び開始時の一連の処理は第１の実施の形態（図６）と同様である。
【００３９】
ここで、具体例を対比して説明するために、「第３の状況」と「第４の状況」とを考える。第３の状況は、定着部１０８に通常用定着器（定着器識別ＩＤ＝１）が装着されており、第１の給紙段１０３にＡ４普通紙（封筒以外）、第２の給紙段１０４に長形３号の封筒が登録及びセットされている状態で図７の処理が開始されたと状況とする。なおかつ第３の状況では、角形２号の封筒を使用したジョブを印刷するために、後述するステップＳ７０１で、第１の給紙段１０３に対し、用紙情報として角形２号の封筒が登録されるとする。第４の状況は、定着部１０８に封筒用定着器（定着器識別ＩＤ＝２）が装着されており、第１の給紙段１０３に角形２号の封筒、第２の給紙段１０４にＡ４普通紙（封筒以外）が登録及びセットされている状態で図７の処理が開始された状況とする。なおかつ第４の状況では、Ａ４普通紙を使用したジョブを印刷するために、ステップＳ７０１で、第１の給紙段１０３にＡ４普通紙（封筒以外）が登録されるとする。
【００４０】
まず、ステップＳ７０１、Ｓ７０２で、ＣＰＵ２０１は、図のステップＳ６０１、Ｓ６０２と同様の処理を実行する。ステップＳ７０３では、ＣＰＵ２０１は、装着中定着器に適合する登録用紙が存在するか、すなわち、印刷可能な用紙が登録されている給紙段が１つでも存在するか否かを判別する。その判別の結果、ＣＰＵ２０１は、印刷可能な用紙が登録されている給紙段が少なくとも１つ存在する場合は適合と判定し、図７の処理を終了させる。一方、ＣＰＵ２０１は、複数の給紙段に対して登録されている用紙のいずれもが装着中定着器と適合しない場合は不適合と判定し、処理をステップＳ７０４に進める。
【００４１】
具体例でいえば、第３の状況では、装着中定着器は通常用定着器であるので、印刷可能な用紙種類は「封筒以外」である。しかし、第１の給紙段１０３に角形２号の「封筒」が登録されたので、その登録用紙は「封筒」であり、第２の給紙段１０４の登録用紙は長形３号の「封筒」である。従ってこの場合は、装着中定着器で印刷可能な用紙がいずれの給紙段にも登録されていないため、ＣＰＵ２０１は不適合と判別し、処理をステップＳ７０４に進める。一方、第４の状況では、装着中定着器は封筒用定着器であるので、印刷可能な用紙種類は「封筒」である。しかし、第１の給紙段１０３にＡ４普通紙が登録されたので、その登録用紙は「封筒以外」であり、第２の給紙段１０４の登録用紙は「封筒以外」である。従ってこの場合も、装着中定着器で印刷可能な用紙がいずれの給紙段にも登録されていないため、ＣＰＵ２０１は不適合と判別し、処理をステップＳ７０４に進める。
【００４２】
なお、第３の状況において、仮に、第２の給紙段１０４の登録用紙がＡ４普通紙等の「封筒以外」であったなら、装着中定着器に適合する登録用紙が存在するので、報知処理が実施されることなく図７の処理は終了する。また、第４の状況において、仮に、第２の給紙段１０４の登録用紙が「封筒」であったなら、装着中定着器に適合する登録用紙が存在するので、報知処理が実施されることなく図７の処理は終了する。
【００４３】
ステップＳ７０４〜Ｓ７０７では、ＣＰＵ２０１は、図６のステップＳ６０４〜Ｓ６０７と同様の処理を実行する。ステップＳ７０８では、ＣＰＵ２０１は、ステップＳ７０３と同様に、適合の判別を再度実施する。まず、ＣＰＵ２０１は、改めて、定着器識別部３０２から、装着中定着器（現在装着されている定着器）の定着器識別ＩＤを取得することで、定着器種別を取得する。そしてＣＰＵ２０１は、印刷可能な用紙が登録されている給紙段が１つでも存在するか否かを改めて判別する。その判別の結果、ＣＰＵ２０１は、印刷可能な用紙が登録されている給紙段が存在しない場合は、不適合と判定し、処理をステップＳ７０７に戻す。一方、ＣＰＵ２０１は、印刷可能な用紙が登録されている給紙段が少なくとも１つ存在する場合は、適合と判定し、処理をステップＳ７０９に進める。
【００４４】
ここで、オペレータが定着器を適切なものへと交換した場合は、ステップＳ７０８では、適合と判別される。例えば、第３の状況において、報知画面５００（図５（ａ））が表示された後、封筒用定着器に交換された場合や、第４の状況において、報知画面５１０（図５（ｂ））が表示された後、通常用定着器に交換された場合は、適合と判別される。しかし、オペレータが定着器の交換を行わないか、行ったとしても不適切な定着器へと交換したような場合は、ステップＳ７０８では再度、不適合と判別される。ステップＳ７０９、Ｓ７１０では、ＣＰＵ２０１は、図６のステップＳ６０９、Ｓ６１０と同様の処理を実行する。
【００４５】
本実施の形態によれば、新たに給紙段に対する用紙情報の登録がなされた時、装着中定着器の定着器識別ＩＤから取得された定着器種別と、複数の給紙段に対して登録されている用紙のいずれもが適合しない場合に、定着器の交換要求が行われる。これにより、装着された定着器と給紙段の用紙との不適合を印刷指示の前に知らせることに関し、第１の実施の形態と同様の効果を奏することができる。
【００４６】
（第３の実施の形態）
上記第１、第２の実施の形態では、装着された定着器と給紙段の用紙との適合／不適合を判定するのは、給紙段に対する新たな用紙登録があった時点であった。しかし、使用環境によっては、定着器交換作業実施直後に、交換後の定着器で印刷可能どうかを知りたい場合もある。そこで本発明の第３の実施の形態では、定着器の交換が検知された時に、新たに装着された定着器と給紙段の登録用紙との適合性を判定する。従って、第１の実施の形態に対して、図５、図６に代えて図８、図９を用いて第３の実施の形態を説明する。
【００４７】
図８（ａ）、（ｂ）は、用紙登録要求の報知画面の例を示す図である。これらの画面は、後述する図９（ｂ）のステップＳ９１１で表示される。図８（ａ）に示す報知画面８００は、用紙の登録を封筒用定着器に適合する用紙に変更するように促すための画面である。図８（ｂ）に示す報知画面８１０は、用紙の登録を通常用定着器に適合する用紙に変更するように促すための画面である。報知画面８００、８１０には、登録ボタン８０１、後で登録ボタン８０２、チェックボックス８０３が含まれる。登録ボタン８０１は、今すぐ用紙登録の変更を行うべく、用紙登録の作業画面へ遷移させるためボタンである。後で登録ボタン８０２は、今すぐには用紙登録の変更を行わないとき、用紙登録の作業を省略するためのボタンである。チェックボックス８０３は、報知画面８００、８１０の表示可否を指定するための要素であり、チェック（オン）されることで、用紙登録要求の報知画面を今後表示しないように設定される。チェックボックス８０３の初期値は、オフ（報知画面を表示する）に設定されているものとする。
【００４８】
図９（ａ）は、定着器交換処理のフローチャートである。この処理は、例えば、操作部２０８から定着器交換処理の開始指示が入力されると開始される。
【００４９】
ここで、具体例を対比して説明するために、「第５の状況」と「第６の状況」とを考える。第５の状況は、定着部１０８に通常用定着器（定着器識別ＩＤ＝１）が装着されており、第１の給紙段１０３、第２の給紙段１０４のいずれにも、Ａ４サイズの普通紙（封筒以外）が登録及びセットされている状態で図９（ａ）の処理が開始されたと状況とする。なおかつ第５の状況では、角形２号の封筒を使用したジョブを印刷するために、後述するステップＳ９０１で、定着部１０８に装着される定着器が通常用定着器から封筒用定着器へと変更されたとする。第６の状況は、定着部１０８に封筒用定着器（定着器識別ＩＤ＝２）が装着されており、第１の給紙段１０３に角形２号の封筒、第２の給紙段１０４に長形３号の封筒が登録及びセットされている状態で図９（ａ）の処理が開始された状況とする。なおかつ第６の状況では、Ａ４の普通紙を使用したジョブを印刷するために、ステップＳ９０１で、定着部１０８に装着される定着器が封筒用定着器から通常用定着器へと変更されたとする。
【００５０】
まず、ステップＳ９０１では、ＣＰＵ２０１は、定着器が交換されるのを待つ。定着器着脱検知センサ１１１がＯＦＦとなると、定着器が取り外されたことが定着器交換検知部３０１によって検知される。従って、定着器着脱検知センサ１１１がＯＦＦからＯＮに切り替わると、定着器交換検知部３０１は、新たな定着器が装着されたと検知し、それによりＣＰＵ２０１は、定着器が交換されたと判別する。定着器が交換されると、ＣＰＵ２０１は、定着器識別部３０２から、装着中定着器（今回装着された定着器）の定着器識別ＩＤを取得することで、定着器種別を取得する（ステップＳ９０２）。
【００５１】
次に、ＣＰＵ２０１は、装着中定着器に適合する登録用紙が存在するか、すなわち、印刷可能な用紙が登録されている給紙段が１つでも存在するか否かを判別する（ステップＳ９０３）。その判別の結果、ＣＰＵ２０１は、印刷可能な用紙が登録されている給紙段が少なくとも１つ存在する場合は適合と判定し、図９（ａ）の処理を終了させる。一方、ＣＰＵ２０１は、複数の給紙段に対して登録されている用紙のいずれもが装着中定着器と適合しない場合は不適合と判定し、処理をステップＳ９０４に進める。
【００５２】
具体例でいえば、第５の状況では、装着中定着器は封筒用定着器となったので、印刷可能な用紙種類は「封筒」である。しかし、第１の給紙段１０３、第２の給紙段１０４の登録用紙はいずれも「封筒以外」である。従ってこの場合は、装着中定着器で印刷可能な用紙がいずれの給紙段にも登録されていないため、ＣＰＵ２０１は不適合と判別し、処理をステップＳ９０４に進める。一方、第６の状況では、装着中定着器は通常用定着器となったので、印刷可能な用紙種類は「封筒以外」である。しかし、第１の給紙段１０３の登録用紙は角形２号の「封筒」であり、第２の給紙段１０４の登録用紙は長形３号の「封筒」である。従ってこの場合も、装着中定着器で印刷可能な用紙がいずれの給紙段にも登録されていないため、ＣＰＵ２０１は不適合と判別し、処理をステップＳ９０４に進める。
【００５３】
ステップＳ９０４では、用紙登録要求ＳＷがＯＮ（オン）になっているか否かを判別する。ここで用紙登録要求ＳＷは、図示はしないが、操作部２０８で設定可能であり、その設定状態は表示画面管理部３０３で管理される。用紙登録要求ＳＷは、報知画面（図８（ａ）、（ｂ））を表示するかどうかを指定するためのオン／オフの値であり、用紙登録要求ＳＷの初期値はオンに設定されているものとする。ステップＳ９０４の判別の結果、ＣＰＵ２０１は、用紙登録要求ＳＷがＯＮになっていない場合は、図９（ａ）の処理を終了させる。一方、ＣＰＵ２０１は、用紙登録要求ＳＷがＯＮになっている場合は、ステップＳ９０５で、用紙登録要求処理（図９（ｂ））を実行する。
【００５４】
図９（ｂ）は、用紙登録要求処理のフローチャートである。まず、ステップＳ９１１では、ＣＰＵ２０１は、表示画面管理部３０３及び表示部３０４を制御し、報知処理として、図８（ａ）または図８（ｂ）に示す報知画面を操作部２０８に表示させる。具体例でいえば、第５の状況においては、装着中定着器は封筒用定着器となったのにもかかわらず、第１の給紙段１０３、第２の給紙段１０４の登録用紙はいずれも「封筒以外」である。そこでＣＰＵ２０１は、操作部２０８に報知画面８００（図８（ａ））を表示させる。これにより、給紙段１０３、１０４の少なくともいずれかの用紙の登録を「封筒以外」に変更すべき旨をオペレータに知らせることができる。一方、第６の状況においては、装着中定着器は通常用定着器となったのにもかかわらず、第１の給紙段１０３、第２の給紙段１０４の登録用紙はいずれも「封筒」である。そこでＣＰＵ２０１は、操作部２０８に報知画面８１０（図８（ｂ））を表示させる。これにより、給紙段１０３、１０４の少なくともいずれかの用紙の登録を「封筒以外」に変更すべき旨をオペレータに知らせることができる。
【００５５】
次に、ステップＳ９１２では、報知画面（第５の状況では報知画面８００、第６の状況では報知画面８１０）において登録が選択されたか否かを、登録ボタン８０１が押下されたか否かによって判別する。その判別の結果、登録が選択された場合は、ＣＰＵ２０１は、表示画面管理部３０３及び表示部３０４を制御し、用紙登録のための作業画面（図示せず）を操作部２０８へ表示させる（ステップＳ９１３）。その際、報知画面は消去される。この作業画面は、例えば、用紙登録変更の手順をオペレータに知らせるための画面である。これにより、印刷指示するよりも前段階で適切な用紙への登録変更作業を案内できる。
【００５６】
オペレータはこれを見て登録内容を交換できる。一方、後で登録ボタン８０２が押下されたことで、報知画面において登録が選択されなかった場合は、ＣＰＵ２０１は、処理をステップＳ９１５に進める。なお、ステップＳ９１２からステップＳ９１５に遷移するとき、報知画面を消去するようにしてもよい。
【００５７】
ステップＳ９１４では、ＣＰＵ２０１は、ステップＳ９０３と同様に、適合の判別を再度実施する。まず、ＣＰＵ２０１は、改めて、定着器識別部３０２から、装着中定着器の定着器識別ＩＤを取得することで、定着器種別を取得する。そしてＣＰＵ２０１は、印刷可能な用紙が登録されている給紙段が１つでも存在するか否かを改めて判別する。その判別の結果、ＣＰＵ２０１は、印刷可能な用紙が登録されている給紙段が存在しない場合は不適合と判定し、処理をステップＳ９１３に戻す。一方、ＣＰＵ２０１は、印刷可能な用紙が登録されている給紙段が少なくとも１つ存在する場合は適合と判定し、処理をステップＳ９１５に進める。
【００５８】
ここで、オペレータが用紙の登録を適切に変更した場合は、ステップＳ９１４では、適合と判別される。例えば、第５の状況において、報知画面８００（図８（ａ））が表示された後、給紙段１０３、１０４の少なくともいずれかの用紙の登録が「封筒」に変更されると、適合と判別される。また、第６の状況において、報知画面８１０（図８（ｂ））が表示された後、給紙段１０３、１０４の少なくともいずれかの用紙の登録が「封筒以外」に変更されると、適合と判別される。しかし、オペレータが用紙の登録変更を行わないか、行ったとしても不適切な用紙を登録したような場合は、ステップＳ９１４では再度、不適合と判別される。
【００５９】
ステップＳ９１５では、ＣＰＵ２０１は、チェックボックス８０３がチェックされているか否かを確認することで、用紙登録要求の報知画面を今後表示しない設定になっているか否かを判別する。その判別の結果、用紙登録要求の報知画面を今後表示しない設定になっている場合は、表示画面管理部３０３の用紙登録要求ＳＷをＯＦＦ（オフ）に変更する（ステップＳ９１６）。その後、図９（ｂ）の処理は終了する。一方、用紙登録要求の報知画面を今後表示しない設定になっていない場合は、ＣＰＵ２０１は、図９（ｂ）の処理を終了させる。
【００６０】
本実施の形態によれば、定着器の交換が検知された時、装着された定着器の定着器識別ＩＤから取得された定着器種別と、給紙段１０３、１０４に対して登録されている用紙のいずれもが適合しない場合は、用紙登録の変更の要求が行われる。これにより、装着された定着器と給紙段の用紙との不適合を印刷指示の前に知らせることに関し、第１の実施の形態と同様の効果を奏することができる。また、どの用紙へ登録変更すべきかを知らせるので、適切な登録変更作業を行いやすい。
【００６１】
（第４の実施の形態）
第３の実施の形態では、定着器が交換された時、装着中定着器が複数の給紙段のいずれの登録用紙とも適合しない場合に不適合と判定された。これに対し、本発明の第４の実施の形態では、定着器が交換された時、装着中定着器が複数の給紙段の少なくとも１つの登録用紙と適合しない場合には不適合と判定されるようにする。従って、第３の実施の形態に対して、図９（ａ）、（ｂ）に代えて図１０（ａ）、（ｂ）を用いて第４の実施の形態を説明する。
【００６２】
図１０（ａ）は、定着器交換処理のフローチャートである。この処理の開始タイミング及び開始時の一連の処理は第３の実施の形態（図９（ａ））と同様である。
【００６３】
まず、ステップＳ１００１、Ｓ１００２では、ＣＰＵ２０１は、図９（ａ）のステップＳ９０１、Ｓ９０２と同様の処理を実行する。次に、ステップＳ１００３では、装着中定着器と全ての給紙段の登録用紙とが適合するか否かを判別する。その判別の結果、ＣＰＵ２０１は、全ての給紙段に、印刷可能な用紙が登録されている場合は、装着中定着器と全ての給紙段の登録用紙とが適合すると判定し、図１０（ａ）の処理を終了させる。一方、ＣＰＵ２０１は、少なくとも１つの給紙段に、印刷可能でない用紙が登録されている場合は、装着中定着器と全ての給紙段の登録用紙とが適合する場合に該当しないため、不適合と判定し、処理をステップＳ１００４に進める。
【００６４】
具体例でいえば、第５の状況では、印刷可能な用紙種類は「封筒」であるが、給紙段１０３、１０４の登録用紙はいずれも「封筒以外」であるので、ＣＰＵ２０１は不適合と判別する。第６の状況では、印刷可能な用紙種類は「封筒以外」であるが、給紙段１０３、１０４の登録用紙はいずれも「封筒」であるので、ＣＰＵ２０１は不適合と判別する。なお、第５の状況において、仮に、給紙段１０３、１０４の登録用紙の片方だけが「封筒」であったとしても不適合となるが、双方が「封筒」であったなら適合となる。また、第６の状況において、仮に、給紙段１０３、１０４の登録用紙の片方だけが「封筒以外」であったとしても不適合となるが、双方が「封筒以外」であったなら適合となる。
【００６５】
ステップＳ１００４では、ＣＰＵ２０１は、図９（ａ）のステップＳ９０４と同様の処理を実行する。ステップＳ１００４の判別の結果、ＣＰＵ２０１は、用紙登録要求ＳＷがＯＮになっていない場合は図１０（ａ）の処理を終了させる一方、用紙登録要求ＳＷがＯＮになっている場合は、ステップＳ１００５で用紙登録要求処理（図１０（ｂ））を実行する。
【００６６】
図１０（ｂ）は、用紙登録要求処理のフローチャートである。ステップＳ１０１１〜Ｓ１０１３では、ＣＰＵ２０１は、図９（ｂ）のステップＳ９１１〜Ｓ９１３と同様の処理を実行する。ステップＳ１０１４では、ＣＰＵ２０１は、ステップＳ１００３と同様に、適合の判別を再度実施する。すなわち、ＣＰＵ２０１は、装着中定着器と全ての給紙段の登録用紙とが適合するか否かを改めて判別する。その判別の結果、ＣＰＵ２０１は、全ての給紙段に、印刷可能な用紙が登録されている場合は、装着中定着器と全ての給紙段の登録用紙とが適合すると判定し、処理をステップＳ１０１５に進める。一方、ＣＰＵ２０１は、少なくとも１つの給紙段に、印刷可能でない用紙が登録されている場合は不適合と判定し、処理をステップＳ１０１３に戻す。
【００６７】
ここで、オペレータが用紙の登録を適切に変更した場合は、ステップＳ１０１４では、適合と判別される。例えば、第５の状況において、報知画面８００（図８（ａ））が表示された後、給紙段１０３、１０４の双方の用紙の登録が「封筒」に変更されると、適合と判別される。また、第６の状況において、報知画面８１０（図８（ｂ））が表示された後、給紙段１０３、１０４の双方の用紙の登録が「封筒以外」に変更されると、適合と判別される。しかし、オペレータが用紙の登録変更を行わないか、行ったとしても不適切な用紙を登録したような場合は、ステップＳ１０１４では再度、不適合と判別される。ステップＳ１０１５、Ｓ１０１６では、ＣＰＵ２０１は、図９（ｂ）のステップＳ９１５、Ｓ９１６と同様の処理を実行する。
【００６８】
本実施の形態によれば、定着器の交換が検知された時、装着された定着器の定着器識別ＩＤから取得された定着器種別と、給紙段１０３、１０４に対して登録されている用紙の少なくとも１つが適合しない場合は、用紙登録の変更の要求が行われる。これにより、装着された定着器と給紙段の用紙との不適合を印刷指示の前に知らせることに関し、第３の実施の形態と同様の効果を奏することができる。
【００６９】
ところで、印刷装置の構成によっては、定着部よりも後段に給紙装置（例えばインサータ）が装着される場合がある。定着器に対して給紙されない給紙段については定着に起因する印刷品質の低下の問題が生じないため、装着中定着器と用紙登録との適合判定の比較対象から除外してもよい。このような構成例を図１１で説明する。
【００７０】
図１１は、印刷装置１００と後処理装置とからなる印刷システムの構成図である。この印刷システムは、印刷装置１００に、後処理装置であるフィニッシャ１１０３が接続されて成る。印刷装置１００は、画像形成装置本体１１０１及び画像定着装置１１０２を有する。画像形成装置本体１１０１及び画像定着装置１１０２が協働して用紙への画像形成を行う。画像定着装置１１０２は、画像形成装置本体１１０１に備えられた給紙部から搬送された用紙に対して、定着器１１０５を用いて定着処理を行い、その後、用紙搬送経路１１０６を通じてフィニッシャ１１０３へ印刷用紙を搬送する。
【００７１】
フィニッシャ１１０３はインサータ１１０４を備える。フィニッシャ１１０３は、ユーザの指定により挿入紙が指定された場合には、所定のページにインサータ１１０４にセットされている挿入紙を、挿入紙搬送路１１０７を通じて挿入させるように動作可能である。挿入紙搬送路１１０７は、定着器１１０５よりも搬送路として後段側にあるため、挿入紙は画像定着装置１１０２の定着器１１０５へ搬送されない。すなわち、インサータ１１０４から給紙される挿入紙は定着器１１０５を通過しない。そのため、インサータ１１０４を給紙段の１つとみなした場合、装着中定着器で印刷できない用紙がインサータ１１０４に対して登録されたとしても、報知画面（図５（ａ）、（ｂ）、図８（ａ）、（ｂ））を表示する必要はない。
【００７２】
この場合に対応する処理を、第１の実施の形態を例にとって説明する。図１２は、第１の実施の形態の変形例の用紙登録処理のフローチャートである。図６のステップＳ６０３以降に相当するステップの図示は省略されている。図１２のフローチャートは、図６のステップＳ６０１とステップＳ６０２との間にステップＳ１２０１を挿入したものに相当する。ステップＳ１２０１では、ＣＰＵ２０１は、登録用紙管理部３０６で用紙登録された給紙段がインサータ（定着器を通さない紙を搬送する給紙段）であるか否かを判別する。ＣＰＵ２０１は、用紙登録部３０５を通じて登録用紙管理部３０６へ用紙登録された給紙段を取得し、それがインサータである場合、図１２の処理を終了させる。一方、用紙登録された給紙段がインサータでない場合は、ＣＰＵ２０１は、処理をステップＳ６０２に進める。これにより、装着中定着器と登録用紙との適合を判定する対象とする給紙段が、定着器に対して給紙する給紙段に限られ、無駄な報知処理が回避される。
【００７３】
なお、この変形例は、第２の実施の形態にも適用でき、その場合は、図７のステップＳ７０１とＳ７０２の間にステップＳ１２０１を挿入すればよい。なお、第３、第４の実施の形態においても、図９（ａ）、（ｂ）、図１０（ａ）、（ｂ）のステップＳ９０３、Ｓ９１４、Ｓ１００３、Ｓ１０１４での判別において、装着中定着器と登録用紙との適合を判定する対象からインサータを除外してもよい。
【００７４】
なお、第１または第２の実施の形態と、第３または第４の実施の形態とは、組み合わせるとさらに有用である。例えば、用紙登録処理の開始指示が入力されると図６（または図７）の処理が開始され、定着器交換処理の開始指示が入力されると図９（ａ）（または図１０（ａ））の処理が開始されるようにしてもよい。
【００７５】
なお、上記各実施の形態において、報知処理の態様として、報知画面（図５（ａ）、（ｂ）、図８（ａ）、（ｂ））の表示を例示したが、報知の態様は音声報知であってもよい。
【００７６】
なお、上記各実施の形態において、用紙種類を封筒と封筒以外とに分けたが、これ以外の区別を用いてもよいし、区分けは３種類以上であっってもよい。定着器の種別についてもこれに準ずる。
【００７７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態や変形例の一部を適宜組み合わせてもよい。
【符号の説明】
【００７９】
１０３  第１の給紙段
１０４  第２の給紙段
２０１  ＣＰＵ
３０１  定着器交換検知部
３０２  定着器識別部
３０５  用紙登録部
【図１】
2017054073.tif 000003
【図２】
2017054073.tif 000004
【図３】
2017054073.tif 000005
【図４】
2017054073.tif 000006
【図５】
2017054073.tif 000007
【図６】
2017054073.tif 000008
【図７】
2017054073.tif 000009
【図８】
2017054073.tif 000010
【図９】
2017054073.tif 000011
【図１０】
2017054073.tif 000012
【図１１】
2017054073.tif 000013
【図１２】
2017054073.tif 000014